(57)【要約】  心臓サイクルの間に画像化をする磁気共鳴心臓画像化方法であって、第１のトリガーイベントの間に画像化される心臓に付随する心電図信号をモニターする。第１のトリガーイベントに応じて、第１の準備シーケンスブロック、第１のデータを収集する少なくとも一つの読み出し期間を有する第１の画像化シーケンスブロック、第２の準備シーケンスブロック、第２のデータを収集する少なくとも一つの読み出し期間を有する第２の画像化シーケンスブロックを含む、データ取得シーケンスが適用される。データ取得シーケンスは、画像化される心臓の心臓サイクル期間より少ない取得時間期間を占有する。
2005510322.tif 000002
【特許請求の範囲】
【請求項１】
心臓を画像化する磁気共鳴心臓画像化法であって、
第１の準備シーケンスブロックと、
第１のデータを収集する少なくとも一つの読み出し期間を有する第１の画像化シーケンスブロックと、
第２の準備シーケンスブロックと、
第２のデータを収集する少なくとも一つの読み出し期間を有する第２の画像化シーケンスブロックとを含む、前記心臓の心臓サイクル期間より少ない取得時間期間を占有するデータ取得シーケンスを適用するステップを有する方法。
【請求項２】
請求項１記載の方法であって、
第１のトリガーイベントの間に前記心臓に付随する心電図信号をモニターするステップと、
前記第１のトリガーイベントに応じて、前記データ取得シーケンスの適用を開始するステップとを含む方法。
【請求項３】
請求項２記載の方法であって、
前記第１のトリガーイベントと前記データ取得シーケンスの開始の間に、前記データ取得シーケンスの時間とあわせても前記心臓サイクル期間より少ない、ゲーティングディレイ期間を設けた方法。
【請求項４】
請求項３記載の方法であって、
前記データ取得シーケンスを後につけたトリガーウィンドウ機関を設けるステップと、
第２のトリガーイベントの検出に応じて前記トリガーウィンドウ期間を終了するステップとを含む方法。
【請求項５】
請求項１ないし４いずれか一項記載の方法であって、
心電図信号をモニターすることにより前記心臓サイクル期間を測定するステップと、
前記測定した心臓サイクル期間に基づき前記心臓サイクルに合わせて前記データ取得シーケンスの適用のタイミングを計るステップと、
レトロスペクティブゲーティングを用いて前記心電図信号とともに第１のデータと第２のデータの少なくとも一方を一時的に登録するステップとをさらに含む方法。
【請求項６】
請求項１ないし５いずれか一項記載の方法であって、
前記第１の準備シーケンスブロックは前記心臓の少なくとも一部に影響する第１の磁化準備を実行し、
前記第２の準備シーケンスブロックは前記心臓の少なくとも一部に影響する、前記第１の磁化準備とは異なる第２の磁化準備を実行する方法。
【請求項７】
請求項１ないし６いずれか一項記載の方法であって、
前記第１の画像化シーケンスブロックは第１の画像コントラストタイプを有するデータ取得を実施し、
前記第２の画像化シーケンスブロックは前記第１の画像コントラストタイプとは異なる第２の画像コントラストタイプを有するデータ取得を実施することを特徴とする方法。
【請求項８】
請求項１ないし７いずれか一項記載の方法であって、
前記第１の準備シーケンスブロックおよび前記第２の準備シーケンスブロックの少なくとも一方が、前記心筋の少なくとも一部をタグづけする、磁化の空間的変調および磁化の補完的空間的変調の少なくとも一方を実行することを特徴とする方法。
【請求項９】
請求項１ないし８いずれか一項記載の方法であって、
前記第１の画像化シーケンスブロックに結合した前記第１の準備シーケンスブロックおよび前記第２の画像化シーケンスブロックに結合した前記第２の準備シーケンスブロックのうち一方が、重ね合わせられた磁化タグづけの空間的変調と重ねあわされた磁化タグづけの補完的空間的変調のいずれか一方で画像化データを取得することを特徴とする方法。
【請求項１０】
請求項９記載の方法であって、
前記第１の画像化シーケンスブロックに結合した前記第１の準備シーケンスブロックおよび前記第２の画像化シーケンスブロックに結合した前記第２の準備シーケンスブロックのうち他方が、血液灌流または遅延強調を特徴づけることを特徴とする方法。
【請求項１１】
請求項１ないし９いずれか一項記載の方法であって、
前記第１の準備シーケンスブロックは、第１の磁化タグづけの空間的変調を適用し、
前記第２の準備シーケンスブロックは、第２の磁化タグづけの空間的変調を適用することを特徴とする方法。
【請求項１２】
請求項１１記載の方法であって、
第１のトリガーイベントを検出するために前記心臓に付随する心電図信号をモニターするステップと、
前記第１のトリガーイベントに応じて、データ取得シーケンスの適用を開始するステップと、
前記第１のトリガーイベントから少なくとも１心臓サイクル期間離れたところに一時的に位置する第２のトリガーイベントを検出するために前記心臓に付随する心電図信号をモニターするステップと、
前記第２のトリガーイベントに応じて、
前記第１の準備シーケンスブロックを補完する第３の準備シーケンスブロックと、
第３のデータを収集する少なくとも一つの読み出し期間を有する第３の画像化シーケンスブロックと、
前記第２の準備シーケンスブロックを補完する第４の準備シーケンスブロックと、
第４のデータを収集する少なくとも一つの読み出し期間を有する、前記心臓の心臓サイクル期間より少ない補完的取得時間期間を占める第４の画像化シーケンスブロックと
を含む補完的データ取得シーケンスを適用することを特徴とする方法。
【請求項１３】
請求項１２記載の方法であって、
第１、第２、第３、第４のセグメント化されたｋ空間データセットを形成するために複数の心臓サイクル期間にわたって前記データ取得シーケンスおよび前記補完的データ取得シーケンスを繰り返すステップと、
前記第１のセグメント化されたｋ空間データセットと前記第３のセグメント化されたｋ空間データセットを減算的に結合することにより第１のCSPAMMセグメント化されたｋ空間データセットを生成するステップと、
前記第２のセグメント化されたｋ空間データセットと前記第４のセグメント化されたｋ空間データセットを減算的に結合することにより第２のCSPAMMセグメント化されたｋ空間データセットを生成するステップと、
各々少なくとも一の画像を含む第１と第２のCSPAMM画像表示を生成するために第１と第２のCSPAMMセグメント化されたｋ空間データセットを再構成するステップとをさらに有する。
【請求項１４】
請求項１２記載の方法であって、
第１、第２、第３、第４のセグメント化されたｋ空間データセットを形成するために複数の心臓サイクル期間にわたって前記データ取得シーケンスおよび前記補完的データ取得シーケンスを繰り返すステップと、
第１の磁化の補完的空間的変調（CSPAMM）画像化シーケンスを生成するために、前記第１のセグメント化されたｋ空間データセットを前記第３のセグメント化されたｋ空間データセットに結合するステップと、
第２のCSPAMM画像化シーケンスを生成するために、前記第２のセグメント化されたｋ空間データセットを前記第４のセグメント化されたｋ空間データセットを結合するステップとをさらに含む方法。
【請求項１５】
請求項１ないし１０いずれか一項記載の方法であって、
前記第１の準備シーケンスブロックは前記心筋の少なくとも一部にSPAMMタグづけを実行し、
前記第２の画像化シーケンスブロックは灌流画像化データと遅れた強調画像化データのうち一方を取得することを特徴とする方法。
【請求項１６】
請求項１５記載の方法であって、
複数の心臓サイクル期間にわたって前記データ取得シーケンスの適用を繰り返すステップと、
セグメント化されたSPAMMまたはCSPAMM画像の少なくとも一方に対応する第１のセグメント化されたデータを形成するために複数の心臓サイクルにわたって取得された前記第１のデータを結合するステップと、
灌流または遅れたコントラスト強調を有する複数の画像に対応する第２の画像シーケンスデータを形成するために、複数の心臓サイクル期間にわたって取得された前記第２のデータを結合するステップと、
SPAMMまたはCSPAMM画像表示のうち少なくとも一方を形成するために、第１のセグメント化されたデータを再構成するステップと、
灌流または遅れたコントラスト強調を有する複数の画像を形成するために第２の画像シーケンスデータを再構成するステップとをさらに含む方法。
【請求項１７】
磁気共鳴心臓画像化装置であって、
心臓磁化の第１の変調をする第１の準備シーケンスブロックと、
第１のデータを収集する第１の画像化シーケンスブロックと、
心臓磁化の第２の変調をする第２の準備シーケンスブロックと、
第２のデータを収集する第２の画像化シーケンスブロックとを含むデータ取得シーケンスを適用する手段を有する装置であって、
データ取得シーケンスは前記心臓の心臓サイクル期間より少ない取得時間期間を占有することを特徴とする装置。
【請求項１８】
請求項１７記載の装置であって、データ取得シーケンスを適用する手段は、
前記心臓の少なくとも一部と相互作用するように配置された磁気共鳴画像化（MRI）スキャナと、
心臓サイクルの選択された部分の間、前記データ取得シーケンスを適用するために前記MRIスキャナとコミュニケートする、前記心臓のサイクルをモニターする前記心臓モニタリング手段とを含む装置。
【請求項１９】
請求項１８記載の装置であって、前記心臓モニタリング手段は心電計を含むことを特徴とする装置。
【請求項２０】
請求項１８または１９記載の装置であって、データ取得シーケンスを適用する手段は、
前記心臓モニタリング手段により検出されたトリガーイベントに応じてデータ取得シーケンスを開始するゲーティング手段をさらに含む装置。
【請求項２１】
請求項２０記載の装置であって、前記ゲーティング手段は前記トリガーイベントと前記データ取得シーケンスの開始の間に事前に選択されたディレイ時間を挿入し、前記ディレイ時間と前記取得時間期間の和は心臓サイクル期間より少ないことを特徴とする装置。
【請求項２２】
請求項１７ないし２１いずれか一項記載の装置であって、
前記心臓サイクルの選択された部分に関連する前記心臓の複数の画像表示を生成するために前記第１および第２の画像化シーケンスブロックにより作られた第１および第２の画像データを再構成する再構成手段をさらに含む装置。
【請求項２３】
請求項１７ないし２２いずれか一項記載の装置であって、前記第１の準備シーケンスブロックと前記第２の準備シーケンスブロックのうち少なくとも一方は空間的に変調された心臓磁化を生成することを特徴とする装置。
【請求項２４】
請求項１７ないし２３いずれか一項記載の装置であって、前記第１の準備シーケンスブロックと前記第２の準備シーケンスブロックは前記心臓磁化の異なる変調を実現することを特徴とする装置。
【請求項２５】
請求項１７ないし２４いずれか一項記載の装置であって、
前記第１の準備シーケンスブロックと前記第１の画像化シーケンスブロックは第１の画像化コントラストを実現するために協力し、
前記第２の準備シーケンスブロックと前記第２の画像化シーケンスブロックは第２の画像化コントラストを実現するために協力することを特徴とする装置。
【請求項２６】
請求項１７ないし２５いずれか一項記載の装置であって、前記第１の画像化コントラストは前記第２の画像化コントラストと異なることを特徴とする装置。
【請求項２７】
請求項１７ないし２６いずれか一項記載の装置であって、前記データ取得シーケンスは、
心臓磁化の第３の変調を生成する第３の準備シーケンスブロックと、
第３の画像データを収集する第３の画像化シーケンスブロックとをさらに含む装置。
【発明の詳細な説明】
【発明の詳細な説明】
【０００１】
本発明は医療用画像化技術に関する。特に、磁気共鳴影像法（MRI）を用いた心臓画像化に関し、それを特に参照して説明する。しかし、本発明は、画像化対象を空間的・時間的に選択的に準備励起する磁気共鳴ベースの画像化やその他の画像化への応用も可能であろう。
【０００２】
心臓の磁気共鳴影像法（MRI）は冠動脈疾患やその他の心臓病を扱うのに便利な、強力な診断・モニタリングツールを提供する。MRIは（コントラスト強調MRIを除き）非侵襲性であり、リアルタイムで心臓サイクルをモニターできるほど素早い画像化ができる。MRIと心臓サイクルを非侵襲的にモニターする心電計（ECG）を組み合わせることにより、心臓サイクル、すなわち心収縮および心拡張心臓フェーズの選択したフェーズの医療用画像化を制御することができる。
【０００３】
心臓MRIのアプリケーションの一つとして心筋の動きの計測がある。心臓サイクルにおいて心臓に加わる力、ストレス、ストレインをMRIによりモニターすることができる。しかし、当初、空間的基準点がなかったのでMRI心臓ストレス・ストレイン画像を解釈することは困難であった。
【０００４】
磁化の空間的変調（SPAMM）技術がこの問題を多少とも解決するために開発された。SPAMMプロセスの一例を図１を参照して説明する。図１には心電図ECGが概略的に示されている。第１の心臓サイクルCC1の全体が示されており、心電図ECGにおいて従来から認められていた、心房脱分極(atrial  depolarization)P、心室脱分極(ventricular  depolarization)Q、R、S、および心室再分極(ventricular  repolarization)Tとラベルされたいくつかの点が示されている。P´、Q´、R´、S´、T´とラベルされた点をともなう第２の心臓サイクルCC2の一部が示されている。SPAMMデータの取得は、選択された心電図のRピークの発生等のゲーティングイベントGによりトリガーされる。選択されたゲーティングディレイGDの後、タグシーケンスTAGが適用される。
【０００５】
周知のとおり、適当なタグシーケンスTAGは、空間的に周期的な磁化フェーズのバリエーションを生成するために磁化フェーズを空間的に「ラップ」する、選択された磁場勾配と組み合わされた２項RFパルス等の一またはそれ以上のラジオ周波数（RF）パルスを典型的には含む。RFパルスと選択された磁場勾配により、心臓組織の磁化における空間的バリエーションが生成される。普通は、画像化平面に垂直な平面状に広がる、２次元のクロスハッチされた心臓組織内の磁化パターンを形成する２方向のシヌソイダルモジュレーションを含む。
【０００６】
準備タグづけシーケンスTAGには、一以上の磁気共鳴画像データ取得シーケンスブロックI1,  I2,  I3,  ...  Inが続く。ブロックI1,  I2,  I3,  ...  Inは、心臓の画像にスーパーインポーズされたクロスハッチされた磁化パターンまたはタグを画像化する。心臓サイクルによって心筋が動くと、心臓組織に付随するタグ部分も同様に動く。胸腔の静止部分に付随するタグ部分は、静止したままであり、心臓サイクルの間心筋の動きをトラックする所望の基準点を提供する。
【０００７】
引き続き図１を参照し、さらに図２Ａを参照するに、心臓サイクルCC1のフェーズ=3/64に対応する典型的なSPAMM画像I3/64が示されている。スーパーインポーズされたタグが水平な明暗の線として見える。タグ部分は心臓組織および静止した胸壁に付随しているので、シーケンシャルなMRI画像データブロックI1,  I2,  I3,  ...  Inを通して心臓サイクルCC1にわたる心臓の動きをモニターするための便利な基準点を提供する。図２Ａでは、タグは簡単のため一方向にしか生成しておらず、より一般的に使用されるクロスハッチングタグパターンとはなっていない。
【０００８】
画像化データを取得した後、トリガーウィンドウTWがデータ取得シーケンスに続き、トリガーイベントの再出現G´で終了する。このように実際の心臓サイクル期間はトリガーイベントG、G´の間の期間に測定される。
【０００９】
典型的には、データ取得レートの限界によりセグメント化されたSPAMM画像化の使用が規定される。セグメント化されたSPAMMにおいて、ｋ空間の少数ラインだけが与えられた心臓サイクル期間で、すなわち心臓サイクル期間CC1で取得される。データ取得ブロックI1,  I2,  I3,  ...  Inが複数の心臓サイクル期間の間繰り返され、セグメント化されたSPAMMのｋ空間データセットが全て取得され、通常の方法で再構成される。例えば、３２心臓サイクル期間の間に取得すべきｋ空間ラインが２５６本ある場合、第１の心臓サイクル期間で画像データブロックI1,  I2,  I3,  ...  Inが、ｋ空間ライン１、３３、６５、．．．２２５を取得する。ｋ空間ライン２、３４、６６、．．．２２６が第２の心臓サイクルで取得され、３２番目の心臓サイクルがデータセットの終わりであるｋ空間ライン３２、６４、．．．２５６を取得するまで続く。
【００１０】
当業者には周知であるとおり、従来のSPAMM法には重大な操作上の制約があった。引き続き図２Ａを参照し、さらに心臓サイクル期間のフェーズ22/64と42/64に対応するその後の画像I22/64、I42/64を示す図２Ｂと２Ｃも参照して、タグは心臓サイクル期間の間中ずっと繰り返すことはなく、T1緩和効果により徐々にぼやけ崩れてくることを見る。典型的には、タグは0.5秒以下しか持続しないが、心臓サイクルは普通１秒程度である（すなわち、毎秒60回の心拍数にあたる）。さらに、例えばコントラスト強調MRIにおける磁気共鳴造影剤の存在などの要因によってタグの持続性は減少する。図１に見られるように、タグの持続性を制限するアプローチによれば、心臓サイクルの見たい部分を調べるようにゲーティングディレイGDを適切に選択しなければならない。しかしながら、タグの持続性がないため、SPAMMは心臓サイクルの大きな部分を画像化するには不便である。
【００１１】
磁化の補完的空間的変調度（CSPAMM）と呼ばれるSPAMM法の変形は、SPAMMのタグぼけを解消するために開発された。CSPAMMにおいては、第１の心臓サイクル期間において第１のSPAMMシーケンスが実施される。第２の心臓サイクル期間において第２のSPAMMシーケンスが実施されるが、タグの磁化の位相が第１の心臓サイクル期間において作られたタグ磁化に対して180°ずれている。対応するｋ空間データが、第１と第２の心臓サイクル期間から差し引かれCSPAMM画像になる。差し引くことにより二つの画像のT1緩和が相殺され、タグの持続性が大幅に改善される。SPAMMを用いているので、通常は、複数の心臓サイクル期間にわたりセグメント化されたモードにおけるデータ取得レートの限界がCSPAMMデータの取得を決定してしまう。
【００１２】
図３Ａから３Ｃを参照するに、フェーズ3/64、22/64、42/64におけるCSPAMM画像I3/64、I22/64、I42/64が示されている。この画像は図２Ａから２ＣのSPAMM画像に対応するCSPAMM画像である。フェーズ42/64に至るまでCSPAMM画像が強いタグ持続性を示すことが分かる。
【００１３】
しかし、当業者には周知であるように、タグが持続していても画像が消えてしまうことがCSPAMMの大きな限界である。画像の消失が起こるのは、相殺されたT1緩和成分が画像のコントラストに大きく貢献しているからであり、もしT1緩和がタグづけの後に時間がたつほど増加するならば、差し引くことによりT1緩和が除去されることにより画像のコントラストが大きく低下するからである。この効果は図３にはっきりと現れており、タグのコントラストは非常に大きいのに、心臓画像のコントラストはフェーズ42/64までにほぼ完全に消失している。それゆえ、画像が消失するので、CSPAMMにより達成されたタグの持続性が心臓サイクル期間の全体にわたる画像化にはつながらない。
【００１４】
本発明は上記の限界等を解消するタグまたはその他の準備シーケンスに係る改良された画像化の方法を企図したものである。
【００１５】
本発明の一態様によると、心臓を画像化する磁気共鳴心臓画像化方法が提供されている。データ取得シーケンスが適用される。データ取得シーケンスは、第１の準備シーケンスブロックと、第１のデータを収集する少なくとも一つの読み出し期間を有する第１の画像化シーケンスブロックと、第２の準備シーケンスブロックと、第２のデータを収集する少なくとも一つの読み出し期間を有する第２の画像化シーケンスブロックとを含む。データ取得シーケンスは心臓の心臓サイクル期間より少ない取得時間期間を占有する。
【００１６】
本発明の他の態様によると、磁気共鳴心臓画像化のための装置が開示されている。データ取得シーケンスを適用する手段が設けられる。データ取得シーケンスは、心臓磁化の第１の変調を生成する第１の準備シーケンスブロックと、第１の画像データを収集する第１の画像化シーケンスブロックと、心臓磁化の第２の変調を生成する第２の準備シーケンスブロックと、第２の画像データを収集する第２の画像化シーケンスブロックとを含む。データ取得シーケンスは、心臓の心臓サイクル期間より少ない取得時間期間を占有する。
【００１７】
本発明の特長は、心臓サイクル期間の全体にわたって心臓のストレス／ストレイン／モーションの利用しやすい画像化を容易にすることである。
【００１８】
本発明の他の特長は、単一の心臓サイクル期間において、心臓ストレス／ストレイン／モーション画像化や灌流画像化などの複数の画像化のモダリティーを使えるようにすることである。
【００１９】
本発明の他の特長は、MRI画像化時間をより効率的に使用できることである。この特長は診察する患者数が非常に重要な臨床の場面で特に重要である。
【００２０】
本発明のさらに他の特長は、心臓サイクル期間にわたりタグまたは準備シーケンスブロックを配分し、各タグまたは準備シーケンスブロックが削減された励起角を使用できるようにすることによって、患者の比吸収率（SAR）を引き下げることである。SARはパルスの振幅に比例するので、SARを大幅に減らすことができる。
【００２１】
本発明の他の多くの特長と利益は、以下の好適な実施形態の詳細な説明を読めば、当業者にとって明らかとなるであろう。
図４を参照して、本発明の実施形態を好適に実施する装置を説明する。磁気共鳴影像法（MRI）スキャナ１０は、検査領域１４にわたりｚ軸に沿った実質的に一様かつ一時的にはコンスタントな主磁場B0を生成する超伝導または常伝導磁石１２を含む。図４にはボアタイプの磁石が図示してあるが、本発明は開放磁石システムや他の知られたタイプのMRIスキャナにも等しく適用可能である。磁石１２は主磁場制御１６により動作される。、典型的にはアイソセンターの興味領域（Region  of  Interest）と共に、少なくとも部分的には検査領域１４に置かれた画像化対象、例えば患者１８、に磁気共鳴（MR）シーケンスを実行することにより画像化される。
【００２２】
磁気共鳴シーケンスには、磁気スピンを反転または励起し、磁気共鳴を引き起こし、磁気共鳴を再度フォーカスし、磁気共鳴を操作し、空間的にまたは別の方法で磁気共鳴をエンコードし、スピンを飽和等する、一連のRFおよび磁場勾配パルスが続く。さらに具体的には、勾配パルスアンプ２０は全体勾配コイルアセンブリ２２に電流パルスを流し、検査領域１４のｘ、ｙ、ｚ軸に沿って磁場勾配を作る。
【００２３】
好ましくはデジタルであるRFトランスミッタ２４が全身RFコイル２６にRFパルスまたはパルスパケットを供給し、検査領域にRFパルスを送る。典型的なRFパルスはひとまとまりの短時間の連続パルスセグメントのパケットよりなり、適用された勾配により磁気共鳴を選択することができる。RFパルスは、飽和し、共鳴を励起し、磁化を反転し、共鳴を再フォーカスし、または検査領域の選択された部分における共鳴を操作するために使われる。
【００２４】
全身アプリケーションについては、選択された操作の結果として得られる共鳴信号は、やはり全身RFコイル２６によって捕らえられる。あるいは、対象の限定された領域においてRFパルスを発生させるため、局所RFコイルが選択された領域に隣接して配置される。例えば、当該技術分野で周知なように、インサート可能なヘッドコイルや特別なRFコイル（図示せず）を使用してもよい。RFシステムはオプションとして、当該技術分野において知られた部分パラレル画像化（PPI）法を可能とする、フェーズドアレイ受信コイル（図示せず）を含んでもよい。一実施形態においては、全身コイル２６が共鳴を起こし、局所RFコイルまたはコイルアレイが選択された領域から発散される磁気共鳴信号を受信する。他の実施形態においては、局所RFコイルが磁気共鳴信号を励起し、それを受信してもよい。
【００２５】
RFコイルの構成やアプリケーションに係らず、一または他のRFコイルにより捉えられた結果のRF磁気共鳴信号がRFレシーバ３２により受信され復調される。シーケンス制御プロセッサ３４は、勾配パルスアンプ２０、RFトランスミッタ２４、RFレシーバ３２を制御し、磁気共鳴（MR）信号とオプションのエコーを生成し、結果のMR応答を空間的にエンコードする適当なエンコーディング勾配を提供し、MRピックアップと受信動作をコーディネートする、統合されたMRIパルスシーケンスと読み出し波形をつくる。
【００２６】
MRIシーケンスは典型的には、RFコイル２６により生成された選択されたRFパルスと共に、ｋ空間にマップされる磁気共鳴エコーに帰結する、勾配アンプ２０により生成された複雑な一連の磁場勾配パルスおよびスイープを含む。結果の磁気共鳴データはｋ空間メモリ３６に記憶される。ｋ空間データは、当該技術分野で知られた逆フーリエ変換プロセッサまたは他の再構成プロセッサである再構成プロセッサ３８により処理される。ディスプレイプロセッサ４０は、ディスプレイデバイス４２条に表示するためCSPAMM画像を適当にフォーマットする。もちろん、画像化の結果は表示以外の方法でも処理可能である。例えば、高分解能プリンターで印刷したり、アニメーションソフトに入力したり、コンピュータネットワークを通して転送したりすることができる。
【００２７】
心臓サイクル画像化において、心筋、血液組織、血液の動きまたは流れ、血液の組織への灌流、その他の臨床的興味の面を特に強調する画像化条件を用いて、患者１８をMRIシステム１０により画像化する。オプションとして、磁気共鳴造影剤４４が患者１８に投与され、血液などの選択された特徴のコントラストを向上させてもよい。心臓の画像化には、ガドリニウムやジスプロシウムの系列の造影剤がよく使用される。心臓のコントラストを強調するには便利だが、造影剤はCSPAMMの画像消失問題を悪化させることがある。また、心臓サイクル画像化のために、心電計（ECG）５０を用いて心臓サイクルを独自に非侵襲的にモニターすることができる。SPAMMまたはCSPAMMシーケンス等の適当な画像化シーケンスが適用される。実質的に心臓サイクルの全体は、各心臓サイクル期間において複数の準備シーケンスを適用することにより一以上の画像化方法を用いて特徴付けられる。例えば、複数励起CSPAMMにおいて、複数のSPAMMタグ５２、５４が各心臓サイクル期間の事前に選択された点で適用される。
【００２８】
図５と６を参照して、セグメント化された複数励起CSPAMM画像データを取得するプロセスを説明する。心電計５０は、Rパルスの発生などのトリガーイベント１０２を知るためにモニターされる心電図９０を出力する。トリガーイベント１０２の検出１００により心臓サイクル期間１０４が開始する。トリガー１０２は図６のピークRに対応し、心臓サイクル期間はピークRからピークR´まで（心臓サイクル期間R-R´の一例）となるが、心臓サイクル期間は心臓サイクル内のいずれの便利な繰り返す基準点で開始しかつ終了すると定義してもよい。心臓期間１０４が始まると、データ取得シーケンスの開始は洗濯されたゲーティングディレイ１０６だけ遅くなる。従来のCSPAMMにおいては、画像コントラストの時間的衰弱により心臓サイクルの限られた一部だけが測定可能であり、そのため比較的長いゲーティングディレイが使われている。ここに説明する複数励起CSPAMMは、単一の心臓サイクルにおいて複数のSPAMMタグ励起を使用し、全心臓サイクル期間と同程度にわたる使用しやすいデータ取得を可能とするものであり、ゲーティングディレイ１０６を縮めたり完全になくしたりすることができる。
【００２９】
ゲーティングディレイ１０６に続き第１のデータ取得シーケンス１１２が開始する（１１０）。第１のデータ取得シーケンス１１２は、第１のタグ１１４の適用と、一以上の個別画像１１６ｎのデータの部分的（セグメント化された）取得よりなる、第１のタグ１１４の適用に続くデータ取得シーケンスブロック１１６を含む。個別画像は心臓サイクルの増加するフェーズ値に対応する。第１のデータ取得シーケンス１１２は第１のデータ１１８を取得する。第１のシーケンス１１２に第２のデータ取得シーケンス１２０が続く。第２のデータ取得シーケンス１２０は第２のタグ１２２と、一以上の個別画像１２４ｎのデータの部分的（セグメント化された）取得よりなる第２のタグ１２２に続くデータ取得シーケンスブロック１２４を含む。個別画像は心臓サイクルの増加するフェーズ値に対応する。第２のデータ取得シーケンス１２０は第２のデータ１２６を取得する。
【００３０】
患者の心拍数は心拍ごとに大きく変化し、普通は約２０％の範囲で変化する。また、医学的条件によって、または薬物の影響によって、患者の心拍数は異常に低いこともある。これらの理由により、トリガーウィンドウディレイ１３０を含めることにより変化の影響を抑えている。トリガーウィンドウディレイ１３０は、第２の心臓サイクル期間１３４の開始を示す第２のトリガーイベント１３２の検出により終了する。当業者は、トリガーウィンドウディレイ１３０ではなくレトロスペクティブゲーティング等の他の方法を使ってもデータ取得を同期化できることを認めるであろう。MRI画像と心臓サイクル間の登録を提供するレトロスペクティブゲーティングを用いて、心臓サイクルの数期間にわたって平均されたECG信号９０を使って心臓サイクル期間が測定される。測定された心臓サイクル期間に基づき、画像化シーケンス１１２、１２０の適用は心臓サイクルとだいたい同期している。レトロスペクティブゲーティングを使って、画像化シーケンス１１２、１２０の測定された心電図９０と時間的登録をすることができる。
【００３１】
CSPAMMにおいては、磁化が１８０°だけフェーズがずれた重ね合わせられたタグで取得したｋ空間データを、減算的に結合することによりタグの持続性を向上する。それゆえ、第１と第２のデータ取得１１２、１２０が１８０°磁化がフェーズシフトした（図示せず）タグで繰り返され（１３６）、第１のデータ１１８と第２のデータ１２６に対応する第３のデータと第４のデータがそれぞれ生成される。第１と第３のデータ１１８、１３８は減算的に結合され（１４２）、第１と第２のタグ１１４、１２２の間にある心臓サイクルの部分に対応する第１のCSPAMMデータ１４４が生成される。同様に、第２と第４のデータ１２６、１４０は減算的に結合され（１４６）、第２のタグ１２２の後にある心臓サイクルの部分に対応する第２のCSPAMMデータ１４８が生成される。
【００３２】
セグメント化された通常のCSPAMMの場合、第１と第２のCSPAMMデータ１４４、１４８は、例えば３２心臓サイクル期間にわたってセグメント化されたCSPAMM画像化の場合は３２番ｋ空間ラインに対応する、部分ｋ空間データのみを含むということに当業者は気づくであろう。それゆえ、第１と第２のCSPAMMデータ１４４、１４８は、心臓サイクルごとに変化する適当な読み出しパラメータを使って必要な心臓サイクル数にわたって収集され、完全な第１と第２のCSPAMM画像ｋ空間データ（結合されたｋ空間データは図示せず）を取得する。結合したデータを再構成して、第１のCSPAMMデータ１４４のコンビネーションに対応する一以上の画像と第２のCSPAMMデータ１４８のコンビネーションに対応する一以上の画像を作る。各心臓サイクル期間において二つのタグ１１４，１２２を使うことによって、一例として３２心臓サイクルにわたって相異なる２セットのCSPAMM画像を取得することができる。この２セットのCSPAMM画像が集まって心臓サイクル期間の大部分をカバーする。
【００３３】
図７を参照して、タグシーケンス１１４、１２２の好適な実施形態を示す。第１のラジオ周波数（RF）パルス２００は、分散した「ラッピング」読出し勾配パルス２０２の２項級数を含む。このパルス／勾配シーケンスは読出し方向において良好なSPAMMタグづけ特性を与えるものとして当該技術分野において知られている。垂直なタグラインのセットが分散した「ラッピング」フェーズ勾配パルス２０６で２項級数を規定している第２のRFパルス２０４によりフェーズ方向に形成される。もちろん、図７のタグづけシーケンス１１４は一例であり、複数励起CSPAMM画像化においては他のタグづけシーケンスを用いることもできる。
【００３４】
図８を参照して、画像データ取得タイミングシーケンス１１６ｎ、１２４ｎの好適な実施形態を示す。シーケンス１１６ｎ、１２４ｎは当該技術分野において知られた勾配反転読出しシーケンスであり、概略的に表示したｋ空間データ２３０を作るRF励起２２２、スライス選択勾配パルス２２４、フェーズエンコーディング勾配パルス２２６、読出しパルス２２８を含む。もちろん、他の画像化読出しシーケンスを使用することも可能である。一連の画像１１６、１２４を取得するためにシーケンス１１６ｎ、１２４ｎが複数回繰り返されるということを当業者は理解するであろう。
【００３５】
一の心臓サイクル期間に二以上のタグを含めることも可能である。実験的では、一の心臓サイクル期間に四つまでのSPAMMタグを含めた。しかし、この場合、タグにじんで重なってしまった。図５、６によると、一サイクルあたり二つのタグの場合が、タグのにじみを最小限に抑えて心臓サイクル期間を最適にカバーすることができることが分かった。しかし、生理的な条件や薬剤の影響により心拍数が以上に低い患者については、三またはそれ以上のタグの使用が考え得る。同様に、造影剤４４（図４）は典型的には緩和時間を減らし、それゆえタグの持続性を減少させるので、コントラスト強調MRIにおいては三以上のタグが心臓サイクルをカバーする上で好適かも知れない。しかし、心臓サイクル期間ごとに二つのタグとすることは、画像のタグづけがタグの適用を超えてレジスタしないという事実に関して有利である。それゆえ、二つのタグだけを使用すると、心臓サイクル期間ごとに一の不連続なタグレジストレーションとなる。
【００３６】
本発明は複数励起SPAMMまたはCSPAMMに限定されるものではない。図９に示した他の実施形態において、複数のモニタリング機能を実行するために、単一の心臓サイクルの間に複数の励起が適用される。心電図９０がモニターされ、トリガーイベント３１０があるとゲーティングディレイ３１２の後データ取得が始まる。第１の取得シーケンス３１４は、SPAMMタグづけ３１６を実施し、セグメント化されたSPAMMまたはCSPAMM部分画像データ取得ブロック３１８が続く。図６と同様にシーケンス３１４はSPAMMまたはCSPAMM画像化を実行する。オプションとして第１の取得シーケンス３１４の後、ディレイ３２０が与えられる。
【００３７】
引き続き図９を参照して、第２のデータ取得シーケンス３３０はSPAMMタグ３１６とは異なる準備シーケンスブロック３３２と、画像化シーケンスブロック３３４を含む。図９において、画像取得ブロック３３４は画像全体を取得する。すなわち、画像取得ブロック３３４は複数の心臓サイクル期間にわたるセグメント化をしない。第２のデータ取得後、心電図９０がトリガーウィンドウ３４０の間モニターされ、新しい心臓サイクル機関を示すトリガーイベントの再発生３４２を捉える。オプションのディレイ３２０は、第２のデータ取得シーケンス３３０を心臓サイクルの選択された部分、例えば図９に示した心拡張フェーズ内に位置づける。
【００３８】
一実施形態において、データ取得シーケンス３３０は灌流データを取得する。図１０を参照して、準備シーケンスブロック３３２１において、強調された血液灌流コントラストを有する反転回復（IR）画像化の準備としてスピン反転が実行される。代替的に準備シーケンスブロックにおいて、図１１を参照して、飽和シーケンスブロック３３２２はスピン飽和灌流画像化の準備を実行する。タイミングシーケンス３３２１、３３２２は、当業者に周知であり、好適な実施形態を実施可能とする開示としてここで詳細に説明する必要はない。
【００３９】
図１２を参照して、灌流データ取得に好適なマルチエコー勾配画像化を実行するタイミングシーケンスの実施形態３３４１を示す。３３４１のタイミングシーケンスも当業者にとって周知であり、ここで詳細に説明する必要はない。当業者は、他の多くのタイプの画像化法を灌流画像化３３４に使用できることも理解するであろう。同様に、血管造影など、灌流以外の生理的特徴の画像化が実行可能である。画像化３３４には、当該技術分野で知られた速度エンコーデッドデータ取得シーケンスブロック（図示せず）も使用可能である。
【００４０】
図９の実施形態は、SPAMMタグである第１の準備シーケンスブロック３１６に関連するセグメント化されたSPAMMまたはCSPAMM画像化を使用し、一方、第２の準備シーケンスブロック３３２はセグメント化されない画像化３３４に関連して使用される。それゆえ、SPAMMまたはCSPAMMのｋ空間データセットは複数の心臓サイクル期間にわたって取得され、一方、このタイプ３３４の複数の画像が同じ心臓サイクル期間にわたって取得される。
【００４１】
図１３を参照して、図９の概略的な心臓サイクル期間のタイミング図にしたがって結合されたCSPAMM／灌流画像化の一実施形態を説明する。図１３において、CSPAMM画像化はタグされた３６２および予感的にタグされた３６４データ取得を含む、１６の心臓サイクル３６０にわたってセグメント化されている。タグされた３６２および補完的にタグされた３６４ｋ空間データ取得が、心臓サイクル期間３６０の間に交互に実行される。それゆえ、第１の心臓サイクル３６６において、タグされたｋ空間ライン１、９、１７、２５、３３、４１、４９、５７が取得される。第２の心臓サイクル３６８において、対応する補完的にタグされたｋ空間ライン１、９、１７、２５、３３、４１、４９、５７が取得される。
【００４２】
このプロセスはタグされたおよび補完的にタグされたｋ空間ライン１から６４までが両方とも取得されるまで、二つの心臓サイクル３６０ごとに繰り返される。これは６４のｋ空間ラインに対応するセグメント化されたCSPAMM画像表示（図示せず）の完全なデータを表している。取得されたデータはCSPAMM画像表示を形成するために、当該技術分野で知られた再構成方法を用いて再構成される。図９に戻って参照して、好ましくは、SPAMMタグ３１６の適用後の心臓サイクル期間の選択されたフェーズ範囲３１８にわたる複数のCSPANN画像３１８１．．．．３１８ｎが、図１３に示されたｋ空間ラインセグメント化により取得される。
【００４３】
引き続いて図９と１３を参照して、CSPAMM取得３１４に加えて、各心臓サイクル期間３６０は、図１３においては、図１０に示されたスピン反転シーケンスブロック３３２１である準備シーケンスブロック３８０を含む。強調された灌流コントラストを有する画像は、各心臓サイクル期間３６０の間に、例えば図１２のタイミングシーケンス３３４１を用いて取得される（３８２）。それゆえ、単一のCSPAMM画像の１６心臓サイクル期間にわたる取得は、灌流情報を含む１６画像の取得を含む。１６画像が集まって、組織への血液灌流の割合に関する情報を提供する。
【００４４】
説明したCSPAMM／灌流画像化のコンビネーションにより、心収縮心臓サイクルフェーズの間の心臓の動きと心拡張フェーズの間の灌流をCSPAMMによって測定する。図１３の実施形態は、従来技術の時期共鳴影像法に対して、心臓サイクル期間をより完全に使用するものである。さらにまた、心臓の動きは典型的には多心臓サイクルにわたって実質的に均一であるから、１６心臓サイクル期間にわたるCSPAMMデータのセグメント化された取得は実際的である。対照的に、心筋への造影剤４４（図４）の灌流は非常に早く、典型的には数秒でほぼ完了してしまう。それゆえ、各心臓サイクルの間に完全な灌流画像を取得するのは、（毎秒６０回の心拍数として）毎秒約１画像の割合での画像取得をすることとなる。
【００４５】
図１４を参照して、図９の概略的な心臓サイクル期間タイミング図に従った、結合されたCSPAMM／灌流画像化の異なった実施形態について説明する。図１４において、最初の８心臓サイクル期間はタグされたｋ空間ラインを取得するのに使用され、次の８心臓サイクル期間は補完的にタグされたｋ空間ラインを取得するのに使用される。もちろん、図１３と１４に示したCSPAMM画像のセグメント化の仕方は一例であり、他のｋ空間取得の仕方を考えることもできる。図１３と１４の１６心臓サイクル期間にわたるSPAMMまたはCSPAMMセグメント化は一例である。より多くの心臓サイクル期間数にわたってセグメント化すれば、より高い画像分解能に対応するより多くのｋ空間ラインを与える。より少ない心臓サイクル期間にわたりセグメント化すれば、患者の動きによる画像ぼけは起こりにくくなる。典型的には、息を止めていられる時間により、画像ぼけが無視できる機関が決まり、患者によって息を止めていられる時間は異なる。同様に、図１３と１４における心臓サイクル期間ごとに８つのｋ空間ラインの取得は一例であり、１心臓サイクル期間に取得できるｋ空間ラインの数は多くも少なくなってもよい。一定の数の心臓サイクル期間にわたるSPAMMまたはCSPAMMセグメント化について、画像の空間的分解能と解釈される毎心臓サイクル期間に取得される画像ｋ空間ラインの数と、時間的分解能と解釈される画像シーケンス３１８１．．．．３１８ｎ（図９）における画像数との間にはトレードオフの関係がある。
【００４６】
図９に戻って参照し、さらに図１５と１６を参照して、拡散準備とエコー平面画像化（EPI）読み出しを行うデータ取得シーケンス３３０の他の実施形態が示されている。図１５は拡散準備をする準備シーケンス３３２の実施形態３３２３を示し、図１６はエコー平面画像化（EPI）を実行するシーケンス３３４を形成する画像の一つを取得するタイミングシーケンスの実施形態３３４２を示す。３３２３、３３４２のタイミングシーケンスは当該技術分野において知られておりここで詳細に開示する必要はない。
【００４７】
図９から１６は一例であることが理解できるであろう。当業者は、複数の飽和または準備シーケンスおよび対応する画像シーケンスの順番、タイミング、タイプを変更して、具体的なアプリケーションのために複数励起心臓サイクル画像化を最適化することができるであろう。図１に戻って参照し、T波Tの後の心拡張フェーズの間、心臓は静かである。それゆえ、そこに各そしてその後の画像融合のための適当な準備シーケンスブロックとともに複数の画像化モードを含めることを考える。例えば、心臓サイクル期間の心拡張部分に灌流画像化ブロックと血管画像化ブロックを挿入することができ、各心臓サイクル期間の間に心筋における血液の動きに関するより完全な情報を提供するためにその後画像を融合することもできる。具体的にコントラスト強調されたMRIの場合、各心臓サイクル期間の間にコントラストモダリティを組み合わせて、血管系を造影剤が飽和する間の限定された時間に最大限の情報を引き出すことができる。
【００４８】
図１７を参照して、セグメント化されたSPAMMまたはCSPAMM４００画像化に単一の心臓サイクルにおいて遅れた強調効果を示す画像化４０２を組み合わせる、さらに他の実施形態が示されている。当該技術分野で知られているように、損傷をうけた心筋の領域は、あるタイプのコントラスト増強剤４４を投与した後、ある時間内に、健康な心筋と比較して高い信号強度を示す。この効果は、しばしば遅れた増強と呼ばれ、損傷を受けた心筋の領域から循環により造影剤が除去されるのが遅れるためにおこる。遅れた増強効果は例えば、図１０から１２に示した準備および読出しタイミングシーケンスブロック３３２１、３３２２、３３４１を用いて画像化できる。しかし、遅れた増強のコントラストは弱く、最適化された画像化条件が特に重要である。図１７に示すように、データ取得４００、４０２の遅れた増強部分４０２は、各連続した心臓サイクル期間で事前に選択されたように変更される。特に、各シーケンスブロック４０４１、４０４２、４０４３、４０４４は異なったフリップ角度α１、α２、α３、α４を有し、各読出しブロック４０６は異なったディレイTi,1、Ti,2、Ti,3、Ti,4を有する。最適化された遅れた増強画像は、結果の変化した条件から選択できる。遅れた増強取得は、各心臓サイクル期間における複数の準備タグと読出しを使用することにより、セグメント化されたSPAMMまたはCSPAMMと組み合わせられるので、この追加データはそれ自身のためにセグメント化されたSPAMMまたはCSPAMMを行うのと比較して画像化時間を増やすことなく取得することができる。
【００４９】
図１８Ａ、１８Ｂ、１８Ｃを参照して、複数励起CSPAMM画像化の適用による結果が提示されている。これらの画像化結果は、図３Ａ、３Ｂ、３Ｃの類似した従来のCSPAMM画像化と比較すべきである。複数励起CSPAMMと従来のCSPAMMにそれぞれ対応した、フェーズ3/64で取った画像IMC3/64とIC3/64はお互いにかなり似ており、フェーズ22/64で取った画像IMC22/64とIC22/64も同様である。しかし、複数励起CSPAMMでは第２のタグ１２２（図６）が心臓サイクルのフェーズ３２で適用されるので、フェーズ３２（図示せず）で違いが起こる。図１８Ｃと図３Ｃとを比較してはっきり分かるとおり、複数励起CSPAMM画像IMC42/64ははっきりしたタグコントラストとはっきりした心臓画像コントラストを有している一方、対応する従来のCSPAMM画像IC42/64はかなり画像コントラストが低くなっている。画像IMC42/64のタグは、第２のタグ１２２の適用が間にあるため、画像IMC22/64のタグとは合わない。しかし、図１８Ａ、１８Ｂ、１８Ｃの複数励起CSPAMM画像化は心臓サイクル期間を通して心臓サイクル力／ストレス／動き情報を提供するが、従来のCSPAMMは心臓サイクルのフェーズ42/64またはそれ以降には役に立つ情報を提供しない。
【００５０】
本発明の他の重要な特長は患者の放射線への被曝量が減少することである。図１に戻って参照して、従来のSPAMMまたはCSPAMMでは、各心臓サイクル期間において単一のタグTAGが適用される。できるだけ長くタグTAGの磁化が持続するように、タグづけの間に強い磁場勾配に対応する大きな励起角度とRFパルスが適用される。これら大きな場の勾配とRF強度は心臓サイクル期間の間に患者に与えられる高い比吸収率（SAR）に対応する。
【００５１】
対照的に、図６を参照して、複数励起SPAMMまたはCSPAMMでは、心臓サイクル期間にわたって二以上のSPAMMタグ１１４、１２２が適用され、各タグは心臓サイクル期間の半分またはそれ以下だけ持続すればよい。それゆえ、各タグづけにおいて、より低い勾配とRFパルス強度に対応するより小さな励起角度を使用することができ、患者に与えられるSARもそれによって低くなる。単一の高いエネルギーのSPAMMタグに対してより小さなフリップ角度を有する複数のSPAMMタグが、患者に与えられるSARを減少させることができる。例えば、矩形のB1パルスについてトータルSARはフリップ角度の２乗に比例すると計算されているが、一方フリップ角度はタグの持続性に（ある次数までは）比例すると推測される。それゆえ、高低差の大きい高角度のパルス（例えば最大９０°のパルス）は、許容できるSARの限界を超えてしまうかもしれず、心臓サイクルにわたる準備励起を与えることにより、より低いトータルSARで同じ励起持続性を与えることができる。複数励起SPAMMまたはCSPAMMでより低いSARタグを使用すると、連続するタグによる磁化のオーバーラップを減少することができる。もちろん、一般に、同じ考え方が、たとえば図１０、１１、および１５の準備シーケンス３３２１、３３２２、３３２３他のタイプの準備シーケンスにも当てはまる。
【図面の簡単な説明】
【００５２】
本発明は多様な構成要素やそれらの組み合わせ、またステップやそれらの組み合わせとして表れる。図面は好適な実施形態を説明するためだけのものであり、本発明を限定するものとして解釈してはならない。
【図１】従来の磁化の空間変調度（SPAMM）準備タグを使用する、従来技術による心臓ストレス／ストレイン／モーション画像化シーケンスの、対応する心電図を参照したタイミング図を概略的に示す図である。
【図２】図２Ａ、２Ｂ、２Ｃは、それぞれ心臓サイクル期間のフェーズ3/64、22/64、42/64における従来技術によるSPAMM画像の例を示す図である。
【図３】図３Ａ、３Ｂ、３Ｃは、それぞれ心臓サイクル期間のフェーズ3/64、22/64、42/64における従来技術による補完的SPAMM（CSPAMM）画像の例を示す図である。
【図４】一の心臓サイクル期間で複数の励起と読み出しをともなう心臓画像化を実行するように構成された磁気共鳴画像化装置の一例を示す図である。
【図５】毎心臓サイクル期間に二つのSPAMMタグを用いた複数励起CSPAMMデータ取得方法の一例を示す図である。
【図６】図５の複数励起CSPAMM画像化の、対応する心電図を参照したタイミング図を概略的に示す図である。
【図７】図６のタイミング図における使用に好適な準備またはタグづけシーケンスの実施形態のタイミング図を概略的に示した図である。
【図８】図６のタイミング図における使用に好適な画像化シーケンスの実施形態のタイミング図を概略的に示した図である。
【図９】一の心臓サイクル期間で複数の異なる準備励起と読み出しが適用される複数励起心臓画像化の他の実施形態を概略的に示す図である。
【図１０】反転回復法（IR）灌流画像化のために準備スピン反転を実施する、図９の好適な非SPAMM／CSPAMM準備シーケンスのタイミング図を概略的に示す図である。
【図１１】灌流画像コントラストを強調する磁化の準備飽和を実施する、図９の好適な非SPAMM／CSPAMM準備シーケンスのタイミング図を概略的に示す図である。
【図１２】図１０または１１の磁化飽和と協力して組織の血液灌流の強調された画像化を実施する、図１０の非SPAMM／CSPAMM画像化シーケンスの好適な実施形態のタイミング図を概略的に示す図である。
【図１３】SPAMMタグと補完的SPAMMタグが１６の心臓サイクルに分散された、セグメント化されたCSPAMMのｋ空間ライン取得および灌流画像取得の配列の一例を概略的に示す図である。
【図１４】SPAMMタグと補完的SPAMMタグが１６の心臓サイクルに分散された、セグメント化されたCSPAMMのｋ空間ライン取得および灌流画像取得の配列の他の例を概略的に示す図である。
【図１５】図９のタイミング図で使用される代替的準備シーケンスブロックを示す図である。
【図１６】図９のタイミング図で使用される代替的読み出しシーケンスブロックを示す図である。
【図１７】一の心臓サイクル期間においてSPAMMまたはCSPAMMのセグメント化された画像化データ取得が遅れた強調画像化に係る、複数励起心臓画像化の実施形態のさらに他の例のタイミング図を概略的に示す図である。
【図１８】図１８Ａ、１８Ｂ、１８Ｃは、心臓サイクルのフェーズ3/64、22/64、42/64それぞれにおいて、図５から８の方法または装置により取得された複数励起CSPAMM画像の例を示す図である。
【図１】
2005510322.tif 000003
【図２】
2005510322.tif 000004
【図３】
2005510322.tif 000005
【図４】
2005510322.tif 000006
【図５】
2005510322.tif 000007
【図６】
2005510322.tif 000008
【図７】
2005510322.tif 000009
【図８】
2005510322.tif 000010
【図９】
2005510322.tif 000011
【図１０】
2005510322.tif 000012
【図１１】
2005510322.tif 000013
【図１２】
2005510322.tif 000014
【図１３】
2005510322.tif 000015
【図１４】
2005510322.tif 000016
【図１５】
2005510322.tif 000017
【図１６】
2005510322.tif 000018
【図１７】
2005510322.tif 000019
【図１８Ａ】
2005510322.tif 000020
【図１８Ｂ】
2005510322.tif 000021
【図１８Ｃ】
2005510322.tif 000022
【国際調査報告】
2005510322.tif 000023
2005510322.tif 000024
2005510322.tif 000025